(57)【特許請求の範囲】
【請求項１】
ホッパーから移送ボディ内に投入される粉砕対象物を、移送スクリューが回転しながら供給部側へ移送させる移送部と、
前記移送部によって移送される粉砕対象物を供給ローターの回転により一定量だけ粉砕部へ供給し、前記移送部によって移送される粉砕対象物の量が一定量を超える場合には、供給ローターが中心軸を中心に回転して案内長孔に沿って上昇しながら粉砕対象物を供給し、上昇した供給ローターは移送部の移送ボディの外側面に形成された上昇制御片に接触しながら一定の高さ以上に上昇しないように制御する供給部と、
前記供給部で供給される粉砕対象物を、モーターの駆動により回転する粉砕部材の第１、２粉砕ピンが衝突して粉砕させる粉砕部と、
前記粉砕部で粉砕された粉砕物が、捕集本体の下端部に一体に形成されて下部に行くほど傾くように構成されたサイクロンの内側壁面に沿って旋回するようにしながら、粉砕物を捕集する捕集部と、
前記捕集本体の内側壁面に沿ってスクレーパーが回転しながら、捕集本体の内側壁面に吸着した粉砕物を分離する分離部と、
前記分離部で分離されて排出される粉砕物を貯蔵する貯蔵部とを含んで構成されることを特徴とする、粉砕装置。
【請求項２】
前記供給部は、
前記移送部の内部に装着されて中心軸を中心に回転しながら、移送スクリューから移送される粉砕対象物を粉砕部側に一定量ずつ供給する供給ローターと、
前記移送部の外側に結合され、供給ローターが回転案内軸を中心に上昇するようにする昇降案内部材と、
前記移送部の移送ボディの両側に設けられ、供給ローターの昇降を案内する案内長孔と、
前記昇降案内部材の一側に固定され、供給ローターを回転させる駆動モーターとを含んでなることを特徴とする、請求項１に記載の粉砕装置。
【請求項３】
前記供給ローターは、移送スクリューから移送される粉砕対象物の量が一定量以下に減少すると、自重によって下降することを特徴とする、請求項２に記載の粉砕装置。
【請求項４】
前記粉砕部は、
前記移送部に固定され、一側が開放される粉砕ボディと、
前記粉砕ボディの内周面に取り付けられ、捕集部側に行くほど孔径が小さくなる粉砕孔を有する粉砕網と、
前記粉砕ボディの内周面にモーターの駆動で回転するように回転粉砕盤が結合され、前記回転粉砕盤の一側に第１粉砕ピンが放射状に形成され、前記回転粉砕盤の他側に第２粉砕ピンが形成される粉砕部材と、
前記粉砕ボディの開放された一側に設けられ、粉砕部材によって粉砕された粉砕物が捕集部へ吐出されるように吐出孔を有するカバーとを含んでなることを特徴とする、請求項１に記載の粉砕装置。
【請求項５】
前記捕集部は、
円筒状に形成された捕集本体と、
前記本体の上部に結合され、捕集本体内の空気を排出する排出管と、
前記捕集本体の下端部に一体に形成されて下部に行くほど傾くように構成され、空気と粉砕物の旋回流の速度が増加しながら粉砕物が空気から分離されるサイクロンとを含んでなることを特徴とする、請求項１に記載の粉砕装置。
【請求項６】
前記分離部は、
前記捕集部の捕集本体の下部に固定され、一側に空間が形成された底板と、
前記底板に回転可能に固定され、捕集部の内側壁面及び底板に密着して回転するスクレーパーと、
前記底板の下方でスクレーパーを回転させる駆動モーターとを含んでなることを特徴とする、請求項１に記載の粉砕装置。
【請求項７】
前記貯蔵部は、
前記捕集部の下部に結合されるケースと、
前記ケースの内部に設けられ、排出部を介して排出される粉砕物を貯蔵する貯蔵容器とを含んでなることを特徴とする、請求項１に記載の粉砕装置。
【請求項８】
前記分離部のスクレーパーの回転により分離された粉砕物を、排出部材の回転の際に開閉部材が排出孔を開放及び閉鎖しながら排出させる排出部をさらに含んでなることを特徴とする、請求項１に記載の粉砕装置。
【請求項９】
前記排出部は、
前記分離部の下部に固定されて収容空間が形成された排出ボディと、
前記排出ボディの収容空間に装着され、分離部の駆動モーター軸と結合されて一体に回転し、一側に排出空間が形成された排出部材と、
前記排出ボディの一側に回転可能に結合され、排出孔を開放及び閉鎖する開閉部材と、
前記開閉部材に装着され、開閉部材が弾力的に回転及び復元するようにする弾性部材とを含んでなることを特徴とする、請求項８に記載の粉砕装置。
【請求項１０】
前記開閉部材を介して排出される粉砕物を貯蔵部へ案内する案内部材をさらに含んでなることを特徴とする、請求項９に記載の粉砕装置。
【発明の詳細な説明】
【技術分野】
【０００１】
本発明は、粉砕装置に係り、さらに詳しくは、移送スクリューから移送される粉砕対象物の量が一定量を超えて粉砕対象物の移送圧力が供給部の自重よりも大きい場合には、供給ローターが案内長孔に沿って上昇しながら粉砕対象物を供給し、移送スクリューから移送される粉砕対象物の量が一定量に減少する場合には、供給部の自重により供給ローターが案内長孔に沿って下降するので、過負荷を防止するとともに粉砕対象物の供給を円滑にして安定的に使用することができ、粉砕部に取り付けられる粉砕網の粉砕孔をその孔径が捕集部側に行くほど小さくなるように形成して粉砕対象物の粉砕効率を極大化させ、分離部のスクレーパーが捕集部の内部で回転しながら、捕集本体の内側壁面に吸着した粉砕物を分離するので、それぞれ異なる粉砕対象物の粉砕作業の際に成分が互いに混合されないようにして粉砕物の成分変化を防止する粉砕装置に関する。
【背景技術】
【０００２】
一般に、粉砕装置は、穀物及び海藻を始めとして、ヒスイ、麦飯石、貴陽石、トルマリン、珪砂、アルミナなどの鉱物、化学物質、及び金属材料などの粉砕対象物を粉砕して微細な粉末にするための装置である。
【０００３】
前記粉砕装置は、内部に投入される粉砕対象物を微細に粉砕した後、粉砕された粉砕物を移送して貯蔵部に貯蔵するものである。このように粉砕された粉砕物は、建築用骨材、工業用原料、医療分野及び各種産業分野で幅広く使用される。
【０００４】
この種の粉砕装置としては、本件出願人によって出願されて登録された特許文献１に開示されている穀物粉砕装置が挙げられる。
【０００５】
この先登録された発明では、ホッパーに投入される粉砕対象物が供給ローターの回転により一定量ずつ粉砕部へ供給され、粉砕部に供給された粉砕対象物は第１粉砕ピンによって１次粉砕され、１次粉砕された粉砕物は粉砕網によって２次粉砕され、２次粉砕された粉砕物は第２粉砕ピンによって３次粉砕される。
【０００６】
上述のように粉砕が完了した粉砕物は、捕集部に吐出されてサイクロンの内側壁面に沿って旋回しながら落下するとともに、貯蔵容器に貯蔵される。
【０００７】
しかし、前記発明では、粉砕対象物が供給ローターに継続的に供給されると、ゴム材質の供給ローターの端部が破損するので粉砕対象物の供給が円滑ではなく、粉砕対象物が粉砕されながら生成される水分により粉砕物が捕集部の内側壁面に吸着する現象が発生するから、粉砕物を円滑に捕集することができないうえ、比較的軟質の穀物粉砕のみに限定されているので、強度の強い粉砕対象物、例えば鉱物または金属材料などを粉砕することは難しいという問題点があった。
【０００８】
また、特許文献２には、このように強度の強い粉砕対象物を粉砕するために、鉱物及び岩石破砕用ローラーミル粉砕機が開示されている。
【０００９】
この先に公開された発明では、粉砕対象物が原料投入シュートから投入されると、粉砕対象物はテーブルの上部に位置し、電動機モーターによってテーブルが回転すると同時に、粉砕対象物はタイヤ型ローラーによって粉砕され、粉砕済みの粉砕物は排出シュートから排出される。
【００１０】
しかし、先に公開された発明は、タイヤ型ローラーが取り付けられた状態でテーブルが回転しながら粉砕対象物の粉砕が行われるので、粉砕効率性が著しく低下するうえ、粉砕対象物が原料投入シュートから過剰に投入される場合には粉砕対象物をすべて収容することはできないという問題点があった。
【００１１】
また、タイヤ型ローラーとテーブルとの間で粉砕対象物が粉砕され、粉砕された微細粒子がタイヤ型ローラー及びテーブルの表面に固着されるので、それぞれ異なる粉砕対象物の粉砕作業の際に当該粉砕物の成分が互いに混合されて成分変化が起こるという問題点があった。
【先行技術文献】
【特許文献】
【００１２】
【特許文献１】韓国登録特許第１０−１３６８９４５号公報
【特許文献２】韓国公開特許第１０−２００２−００６１５７７号公報
【発明の概要】
【発明が解決しようとする課題】
【００１３】
本発明は、上述したような従来の問題点に鑑みてなされたもので、その目的は、移送スクリューから移送される粉砕対象物の量が一定量を超えて粉砕対象物の移送圧力が供給部の自重よりも大きい場合には、供給ローターが案内長孔に沿って上昇しながら粉砕対象物を供給し、移送スクリューから移送される粉砕対象物の量が一定量に減少した場合には、供給部の自重により供給ローターが案内長孔に沿って下降するので、過負荷を防止するとともに粉砕対象物の供給を円滑にして安定的に使用することができる粉砕装置を提供することにある。
【００１４】
また、本発明の他の目的は、粉砕部に取り付けられる粉砕網の粉砕孔をその孔径が捕集部側に行くほど小さくなるように形成することで、粉砕対象物の強度が強くても粉砕効率を極大化させる粉砕装置を提供することにある。
【００１５】
また、本発明の別の目的は、分離部のスクレーパーが捕集部の内部で回転しながら、捕集本体の内側壁面に吸着した粉砕物を分離するので、それぞれ異なる粉砕対象物の粉砕作業の際に成分が互いに混合されないようにして粉砕物の成分変化を防止する粉砕装置を提供することにある。
【課題を解決するための手段】
【００１６】
本発明は、ホッパーから移送ボディ内に投入される粉砕対象物を、移送スクリューが回転しながら供給部側へ移送させる移送部と、前記移送部によって移送される粉砕対象物を供給ローターの回転により一定量だけ粉砕部へ供給し、移送部によって移送される粉砕対象物の量が一定量を超える場合には、供給ローターが中心軸を中心に回転して案内長孔に沿って上昇しながら粉砕対象物を供給し、上昇した供給ローターは移送部の移送ボディの外側面に形成された上昇制御片に接触しながら一定の高さ以上に上昇しないように制御する供給部と、前記供給部で供給される粉砕対象物を、モーターの駆動により回転する粉砕部材の第１、２粉砕ピンが衝突して粉砕させる粉砕部と、前記粉砕部で粉砕された粉砕物が、捕集本体の下端部に一体に形成されて下部に行くほど傾くように構成されたサイクロンの内側壁面に沿って旋回するようにしながら、粉砕物を捕集する捕集部と、前記捕集本体の内側壁面に沿ってスクレーパーが回転しながら、捕集本体の内側壁面に吸着した粉砕物を分離する分離部と、前記分離部で分離されて排出される粉砕物を貯蔵する貯蔵部とを含んで構成される。
【発明の効果】
【００１７】
本発明は、移送スクリューから移送される粉砕対象物の量が一定量を超えて粉砕対象物の移送圧力が供給部の自重よりも大きい場合には、供給ローターが案内長孔に沿って上昇しながら粉砕対象物を供給し、移送スクリューから移送される粉砕対象物の量が一定量に減少した場合には、供給部の自重によって供給ローターが案内長孔に沿って下降するので、過負荷を防止するとともに粉砕対象物の供給を円滑にして安定的に使用することができるという利点がある。
【００１８】
また、本発明は、粉砕部に取り付けられる粉砕網の粉砕孔をその孔径が捕集部側に行くほど小さくなるように形成することで、粉砕対象物の粉砕効率を極大化させるという利点がある。
【００１９】
また、本発明は、分離部のスクレーパーが捕集部の内部で回転しながら、捕集本体の内側壁面に吸着した粉砕物を分離するので、それぞれ異なる粉砕対象物の粉砕作業の際に成分が互いに混合されないようにして粉砕物の成分変化を防止するという利点がある。
【図面の簡単な説明】
【００２０】
【図１】本発明の正面構成図である。
【図２】本発明の平面構成図である。
【図３】本発明の移送部と供給部の側面構成図である。
【図４】本発明の分離部と排出部の分離斜視図である。
【図５】本発明の供給部に粉砕対象物が供給される状態図である。
【図６】本発明の供給部が上方に上昇する状態図である。
【図７】粉砕対象物が粉砕部で粉砕される状態図である。
【図８】本発明の粉砕網の粉砕孔の孔径を示す状態図である。
【図９】粉砕部で粉砕された粉砕物が捕集部に捕集される状態図である。
【図１０】スクレーパーの回転により、捕集部に吸着した粉砕物を分離させる状態の平断面図である。
【図１１】粉砕物が排出部の排出空間へ排出された状態図である。
【図１２】排出部材の回転により開閉部材を開放させて粉砕物を排出させる状態図である。
【図１３】排出部から排出された粉砕物を貯蔵部に貯蔵する状態図である。
【発明を実施するための形態】
【００２１】
以下、添付図面に基づいて本発明を詳細に説明する。図１は本発明の正面構成図、図２は本発明の平面構成図である。
【００２２】
本発明の粉砕装置１００は、ホッパー１１１ａから移送ボディ１１１の内部に投入される粉砕対象物を、移送スクリュー１１２が回転しながら供給部１２０側へ移送させる移送部１１０と、前記移送部１１０によって移送される粉砕対象物を供給ローター１２１の回転により一定量だけ粉砕部１３０へ供給し、移送部１１０によって移送される粉砕対象物の量が一定量を超える場合には、供給ローター１２１が中心軸１２４ａを中心に回転して案内長孔１２３に沿って上昇しながら粉砕対象物を供給し、上昇した供給ローター１２１は移送部１１０の移送ボディ１１１の外側面に形成された上昇制御片１２５に接触しながら一定の高さ以上に上昇しないように制御する供給部１２０と、前記供給部１２０で供給される粉砕対象物を、モーターＭの駆動により回転する粉砕部材１３３の第１、２粉砕ピン１３３ｂ、１３３ｃが衝突して粉砕させる粉砕部１３０と、前記粉砕部１３０で粉砕された粉砕物が、捕集本体１４１の下端部に一体に形成されて下部に行くほど傾くように構成されたサイクロン１４３の内側壁面に沿って旋回するようにしながら、粉砕物を捕集する捕集部１４０と、前記捕集部１４０の捕集本体１４１の内側壁面に沿ってスクレーパー１５２が回転しながら、捕集本体１４１の内側壁面に吸着した粉砕物を分離する分離部１５０と、前記分離部１５０から排出される粉砕物を貯蔵する貯蔵部１６０とを含んで構成される。次に、これをさらに具体的に説明する。
【００２３】
前記供給部１２０は、前記移送部１１０の内部に取り付けられて中心軸１２４ａを中心に回転しながら、移送スクリュー１１２から移送される粉砕対象物を粉砕部１３０側へ一定量ずつ供給する供給ローター１２１と、前記移送部１１０の外側に結合され、供給ローター１２１が回転案内軸１２２ａを中心に上昇するようにする昇降案内部材１２２と、前記移送部１１０の移送ボディ１１１の両側に形成され、供給ローター１２１の昇降を案内する案内長孔１２３と、前記昇降案内部材１２２の一側に固定され、供給ローター１２１を回転させる駆動モーター１２４とを含んでなる。
【００２４】
前記供給ローター１２１は、移送スクリュー１１２から移送される粉砕対象物の量が一定量以下に減少すると、自重によって下降することが好ましい。
【００２５】
前記粉砕部１３０は、前記移送部１１０に固定され、一側が開放される粉砕ボディ１３１と、前記粉砕ボディ１３１の内周面に取り付けられ、捕集部１４０側に行くほど孔径が小さくなる粉砕孔１３２ａを有する粉砕網１３２と、前記粉砕ボディ１３１の内周面にモーターＭの駆動で回転するように回転粉砕盤１３３ａが結合され、前記回転粉砕盤１３３ａの一側に第１粉砕ピン１３３ｂが放射状に形成され、前記回転粉砕盤１３３ａの他側に第２粉砕ピン１３３ｃが形成される粉砕部材１３３と、前記粉砕ボディ１３１の開放された一側に設けられ、粉砕部材１３３によって粉砕された粉砕物が捕集部１４０へ吐出されるように吐出孔１３４ａを有するカバー１３４とを含んでなる。
【００２６】
前記捕集部１４０は、円筒状に形成される捕集本体１４１と、前記捕集本体１４１の上部に結合され、捕集本体１４１内の空気を排出する排出管１４２と、前記捕集本体１４１の下端部に一体に形成されて下部に行くほど傾くように構成され、空気及び粉砕物の旋回流の速度が増加しながら粉砕物が空気から分離されるサイクロン１４３とを含んでなる。
前記分離部１５０は、前記捕集部１４０の捕集本体１４１の下部に固定され、一側に空間１５１ａが形成される底板１５１と、前記底板１５１に回転可能に固定され、捕集部１４０の内側壁面及び底板１５１に密着して回転するスクレーパー１５２と、前記底板１５１の下方でスクレーパー１５２を回転させる駆動モーター１５３とを含んでなる。
【００２７】
前記貯蔵部１６０は、前記捕集部１４０の下部に結合されるケース１６１と、前記ケース１６１の内部に設けられ、排出部１７０を介して排出される粉砕物を貯蔵する貯蔵容器１６２とを含んでなる。
【００２８】
本発明の粉砕装置は、前記分離部１５０のスクレーパー１５２の回転により分離された粉砕物を、排出部材１７２の回転の際に開閉部材１７３が排出孔を開放及び閉鎖しながら排出させる排出部１７０をさらに含んで構成される。
【００２９】
前記排出部１７０は、前記分離部１５０の下部に固定されて収容空間１７１ａが形成される排出ボディ１７１と、前記排出ボディ１７１の収容空間１７１ａに装着され、分離部１５０の駆動モーター１５３の軸１５３ａと結合されて一体に回転し、一側に排出空間１７２ａが形成される排出部材１７２と、前記排出ボディ１７１の一側に回転可能に結合され、排出孔を開放及び閉鎖する開閉部材１７３と、前記開閉部材１７３に取り付けられ、開閉部材１７３が弾力的に回転及び復元するようにする弾性部材１７４とを含んでなる。
【００３０】
前記排出部は、前記開閉部材１７３を介して排出される粉砕物を貯蔵部１６０へ案内する案内部材１７５をさらに含む。
【００３１】
以下、このように構成された本発明の作動過程を詳細に説明する。
【００３２】
まず、図５に示すように、ホッパー１１１ａに鉱物や金属材料などの粉砕対象物が投入されると、粉砕対象物は、駆動モーター１１２ａの駆動で回転する移送スクリュー１１２によって供給部１２０側へ移送される。
【００３３】
前記粉砕対象物が移送スクリュー１１２によって供給部１２０に移送されると、駆動モーター１２４の駆動で回転する供給ローター１２１は、中心軸１２４ａを中心に反時計回りに回転しながら、移送ボディ１１１の一側下部に形成された移送管１１３へ粉砕対象物を一定量ずつ供給する。
【００３４】
この際、移送部１１０から移送される粉砕対象物の移送圧力よりも供給部１２０の自重の方が重いため、前記供給ローター１２１は、案内長孔１２３の下部で中心軸１２４ａによって回転する。
【００３５】
前記移送スクリュー１１２から移送される粉砕対象物の量が一定量を超えて粉砕対象物の移送圧力が供給部１２０の自重よりも大きい場合、図６に示すように、供給部１２０の供給ローター１２１は回転案内軸１２２ａを中心に回転すると同時に、駆動モーター１２４の中心軸１２４ａは案内長孔１２３に沿って下部から上部に上昇するので、多くの量の粉砕対象物により発生する過負荷を防止することができ、粉砕対象物の供給を円滑にすることができる。
【００３６】
この際、前記供給ローター１２１が一定の高さに上昇すると、昇降案内部材１２２の上側端部が、移送部１１０の外側面に形成された上昇制御片１２５に接触しながら、それ以上上昇しないように制御される。
【００３７】
このように供給部１２０で供給される粉砕対象物は、移送管１１３へ供給されると同時に粉砕部１３０へ供給され、前記移送スクリュー１１２によって移送される粉砕対象物の量が一定量に減少すると、前記供給ローター１２１は回転案内軸１２２ａを中心に回転して下降すると同時に、供給ローター１２１を回転させる中心軸１２４ａは案内長孔１２３の上部から案内長孔１２３の下部へ自重によって下降する。
【００３８】
また、図７及び図８に示すように、前記移送管１１３に供給された粉砕対象物は、粉砕部１３０の回転粉砕盤１３３ａがモーターＭの駆動により分あたり３０００〜５０００ｒｐｍで回転しながら吸引力が発生して、粉砕対象物が粉砕部１３０の内部に迅速に流入するとともに、移送管１１３の上部に形成された空気流入管１１３ａを介して外部の空気が粉砕部１３０内に流入する。
【００３９】
このように粉砕対象物が粉砕部１３０の内部に供給されると、回転粉砕盤１３３ａが回転して発生する遠心力によって粉砕対象物が回転中心の外郭に飛び出されながら、放射状に形成された第１粉砕ピン１３３ｂに衝突して１次粉砕が行われる。
【００４０】
また、１次粉砕された粉砕物は、粉砕ボディ１３１の内周面に取り付けられた粉砕網１３２の粉砕孔１３２ａに対して流入及び流出することを繰り返し行って衝突しながら２次粉砕が行われる。
【００４１】
ここで、前記粉砕網１３２は、粉砕部１３０から捕集部１４０側に行くほど粉砕孔１３２ａの孔径が小さくなるように形成されており、粉砕対象物の粉砕の際に微細な粒子に粉砕することが可能であり、粉砕効率性を向上させる。
【００４２】
また、前記粉砕網１３２を介して２次粉砕された粉砕物は、回転粉砕盤１３３ａの外側に投入され、放射状に形成されて断面が傾くように構成された多数の第２粉砕ピン１３３ｃに衝突しながら３次粉砕が行われる。
【００４３】
前記第２粉砕ピン１３３ｃの傾斜部分は、粉砕粒子が微細であるほど遠心力に比べて風力の影響を大きく受け、粉砕ボディ１３１の中心に向かって浮上するように気流を形成し、粒子サイズの順に浮上させると同時に粉砕作用をする。
【００４４】
前記第１粉砕ピン１３３ｂと第２粉砕ピン１３３ｃは、回転粉砕盤１３３ａの両側にそれぞれ形成されてもよく、一体に形成されてもよい。
【００４５】
このように微細に粉砕された粉砕物は、図９に示すように、カバー１３４に形成された吐出孔１３４ａを介して渦型気流に乗って捕集部１４０へ吐き出される。
【００４６】
前記粉砕物は、捕集部１４０の捕集本体１４１の内側壁面に沿って旋回流を形成しながら回転するとともに重力によって下方に落下し、粉砕物中の微細粒子の一部は捕集本体１４１の内側壁面に吸着する。
【００４７】
このように粉砕物が捕集本体１４１の内側壁面に沿って旋回しながら発生する上昇気流によって、空気は粉砕物と分離されて排出管１４２を介して外部へ排出される。
【００４８】
前記排出管１４２の下端部は、粉砕物と空気が円滑に分離されるように吐出孔１３４ａよりも低く位置しなければならない。
【００４９】
また、捕集本体１４１の内側壁面に沿って重力によって落下する粉砕物が、捕集本体１４１の下部に傾くように形成されたサイクロン１４３の内側壁面に落下すると、旋回流の速度が増加すると同時に十分な遠心力を得ながら分離部１５０の底板１５１に捕集される。
【００５０】
このように粉砕物が分離部１５０の底板１５１に落下して捕集されると、図１０に示すように、分離部１５０の駆動モーター１５３の駆動でスクレーパー１５２が捕集本体１４１の内側壁面に密着して回転しながら、捕集本体１４１の内側壁面に吸着した粉砕物を分離させると同時に、粉砕物は底板１５１に落下する。
【００５１】
また、前記底板１５１に落下して積もる粉砕物は、底板１５１に密着するスクレーパー１５２の回転により、底板１５１の一側に形成される空間１５１ａへ移動して排出部１７０側へ排出される。
【００５２】
前記排出部１７０へ排出された粉砕物は、図１１乃至図１３に示すように、前記排出ボディ１７１に装着された排出部材１７２の排出空間１７２ａに位置し、前記排出部材１７２は、分離部１５０の駆動モーター１５３によって軸１５３ａを中心にスクレーパー１５２と同様に回転する。
【００５３】
前記排出部材１７２の排出空間１７２ａが開閉部材１７３側に回転すると、前記開閉部材１７３は、弾性部材１７４の弾性力によって軸ピン１７３ａを中心に回転し、前記開閉部材１７３の端部は排出空間１７２ａが形成された排出部材１７２の端部に接触しながら排出孔を開放することにより、粉砕物が排出される。
【００５４】
また、前記排出部材１７２が回転し続けると、排出空間１７２ａが形成された排出部材１７２の端部は開閉部材１７３の端部を加圧するとともに、開閉部材１７３は弾性部材１７４の弾性力によって徐々に復元しながら排出孔を閉鎖し、排出部材１７２の回転の際に上記の過程を繰り返し行いながら粉砕物を排出する。
【００５５】
前記開閉部材１７３の開放により排出される粉砕物は、案内部材１７５によって案内されて貯蔵部１６０の貯蔵容器１６２に貯蔵される。一定量以上の粉砕物が貯蔵されると、貯蔵部１６０から貯蔵容器１６２を分離すればよい。
【００５６】
以上の如く、本発明は、たとえ限定された実施形態及び図面によって説明されたが、本明細書及び請求の範囲で使用される用語や単語は、通常的かつ辞典的な意味に限定されて解釈されてはならず、本発明の技術的思想に合致する意味と概念で解釈されるべきである。
【００５７】
よって、本明細書に記載された実施形態及び図面に示された構成は、本発明の一実施形態に過ぎず、本発明の技術的思想をすべて代弁するものではないので、本発明の請求の範囲を逸脱しない範囲内で様々な均等物と変形例があり得ることを理解すべきである。
【符号の説明】
【００５８】
１００    粉砕装置
１１０    移送部
１１１    移送ボディ
１１２    移送スクリュー
１１３    移送管
１２０    供給部
１２１    供給ローター
１２２    昇降案内部材
１２３    案内長孔
１２４    駆動モーター
１３０    粉砕部
１３１    粉砕ボディ
１３２    粉砕網
１３３    粉砕部材
１３４    カバー
１４０    捕集部
１４１    捕集本体
１４２    排出管
１４３    サイクロン
１５０    分離部
１５１    底板
１５２    スクレーパー
１５３    駆動モーター
１６０    貯蔵部
１６１    ケース
１６２    貯蔵部材
１７０    排出部
１７１    排出ボディ
１７２    排出部材
１７３    開閉部材
１７４    弾性部材
１７５    案内部材
【図１】
0006308329.tif 000002
【図２】
0006308329.tif 000003
【図３】
0006308329.tif 000004
【図４】
0006308329.tif 000005
【図５】
0006308329.tif 000006
【図６】
0006308329.tif 000007
【図７】
0006308329.tif 000008
【図８】
0006308329.tif 000009
【図９】
0006308329.tif 000010
【図１０】
0006308329.tif 000011
【図１１】
0006308329.tif 000012
【図１２】
0006308329.tif 000013
【図１３】
0006308329.tif 000014